(57)【要約】【課題】  車両の挙動制御装置に関し、ドライブフィーリングを損なわないようにして、車両の安定性を確保することができるようにする。【解決手段】  車両に設けられて該車両の左右輪を個別に制動しうる制動手段と、該車両のエンジンの出力を調整しうるエンジン出力調整手段３７と、該車両のステア特性に対応したパラメータの値を検出するステア特性検出手段１２と、ステア特性検出手段１２で検出されたパラメータ値に基づいて、該車両のステア特性が第１の状態以上に不安定になったら該制動手段を作動させ、該車両のステア特性が第１の状態よりも不安定な第２の状態以上に不安定になったら該制動手段の作動に加えて該エンジン出力調整手段３７によりエンジン出力を低下させるステア特性制御手段とを備える。【選択図】        図１
2005271817.tif 000002
【特許請求の範囲】
【請求項１】
車両に設けられて該車両の左右輪を個別に制動しうる制動手段と、
該車両のエンジンの出力を調整しうるエンジン出力調整手段と、
該車両のステア特性に対応したパラメータの値を検出するステア特性検出手段と、
該ステア特性検出手段で検出されたパラメータ値に基づいて、該車両のステア特性が第１の状態以上に不安定になったら、該制動手段を作動させ、該車両のステア特性が第１の状態よりも不安定な第２の状態以上に不安定になったら、該制動手段の作動に加えて該エンジン出力調整手段によりエンジン出力を低下させるステア特性制御手段と
を備えたことを特徴とする、車両の挙動制御装置。
【請求項２】
該ステア特性制御手段は、該ステア特性検出手段で検出されたパラメータ値が該第１の状態として予め設定された第１閾値以上であることを検出すると、該制動手段を作動させ、該ステア特性検出手段で検出されたパラメータ値が該第２の状態として予め設定された第１閾値よりも大きい第２閾値以上であることを検出すると、該制動手段を作動させるとともに、該エンジン出力調整手段によりエンジン出力を低下させる
ことを特徴とする、請求項１記載の車両の挙動制御装置。
【請求項３】
該ステア特性検出手段は、該ステア特性に対応したパラメータの値として該車両のヨーレイト偏差を算出し、
該ステア特性制御手段は、該ヨーレイト偏差の絶対値と該第１閾値及び該第２閾値との比較を行う
ことを特徴とする、請求項２記載の車両の挙動制御装置。
【請求項４】
該ステア特性がアンダステア又はオーバステアの何れであるかを判定するＯＳ・ＵＳ判定手段を備え、
該ステア特性制御手段は、該ＯＳ・ＵＳ判定手段の判定結果に基づいて、該ステア特性がアンダステアの場合には、該第１の状態よりも不安定かつ該第２の状態よりも安定な第３の状態以上に不安定になったら、該制動手段の作動に加えて該エンジン出力調整手段によりエンジン出力を低下させる
ことを特徴とする、請求項１〜３のいずれか１項に記載の車両の挙動制御装置。
【発明の詳細な説明】
【技術分野】
【０００１】
本発明は、車両の運動状態に応じた制動制御と運転者による制動操作とを両立させながら車両の安定性を確保する、車両の挙動制御装置に関する。
【背景技術】
【０００２】
車両の旋回時の姿勢を制御する技術として、旋回時に特定の車輪に制動力を加えることによって、アンダステアやオーバステアといった車両のステア特性を改善するように制御し、旋回時の車両の旋回方向に対する姿勢を修正して車両の安定した走行を実現する技術が開発されており、左右輪に各々異なる大きさの制動力を付与して車両にヨー方向のモーメントを発生させることで車両の姿勢を安定させる、ヨーモーメント制御が知られている。
【０００３】
例えば、旋回時において車両のオーバステアが強い場合には、車両が旋回内側に回頭し過ぎ、走行経路も旋回内側に入り過ぎてスピンのおそれを招いてしまう。そこで、旋回外輪に制動力を加えることにより車両に復元方向のヨーモーメントを発生させ、車両の旋回内側への過剰な回頭を抑制し走行経路が旋回内側に入り過ぎてしまうのを抑制する（すなわち、オーバステアを抑制する）ようになっている。この場合、旋回外輪のうち前輪のみに制動力を加えれば、車両を過剰に減速することなく円滑に効率よくオーバステアを抑制できる。
【０００４】
また、旋回時において車両のアンダステアが強い場合には、車両が旋回内側に回頭しにくく走行経路も旋回外側に膨らみドリフトアウトのおそれを招いてしまう。そこで、旋回内輪に制動力を加えることにより車両に回頭方向のヨーモーメントを発生させ、走行経路が旋回外側に膨らむのを抑制する（すなわち、アンダステアを抑制する）ようになっている。この場合、旋回内輪のうち後輪のみに制動力を加えれば、車両を過剰に減速することなく円滑に効率よくアンダステアを抑制できる。
【０００５】
一方、車両の旋回時の姿勢を制御する別の技術として、旋回時にエンジン出力を抑制して車両の挙動を安定化させるエンジン出力制御が知られている。
例えば、特許文献１には、車両の旋回挙動に基づいて演算された目標減速度Ｇxtが基準値Ｇxt0未満の場合にはエンジン出力トルクを低減させるべくスロットルバルブの開度を制御してエンジンの出力を制御し、基準値Ｇxt0以上の場合には各車輪を制動して車両を減速させる構成が記載されている。このようにエンジン出力トルクを絞ることによって、車両のドリフトアウト状態を低減し、車両の挙動を安定化させることができるようになっている。
【０００６】
また、車両の旋回時における安定性を向上させるために、上述のヨーモーメント制御とエンジン出力制御とを組み合わせて実施するように構成された技術も知られている。例えば特許文献２には、制御目標ヨーレイトＴｒψが実ヨーレイトψよりも大きいときには、旋回内輪に制動力を付与するヨーモーメント制御を行うとともにエンジン出力を低下させるエンジン出力制御を行い、制御目標ヨーレイトＴｒψが実ヨーレイトψよりも小さいときに旋回外輪に制動力を付与するヨーモーメント制御を行う構成が記載されている。このような構成によって、制御目標ヨーレイトＴｒψが実ヨーレイトψよりも大きく不安定な状態になると、車速を低下させることで遠心力を小さくすることができ、また、左右輪の制動力差によって車両モーメント（ヨーモーメント）を発生させてドリフトアウトを回避することができるようになっている。
【特許文献１】特開２００１−８２２００号公報
【特許文献２】特開２００１−８８６７１号公報
【発明の開示】
【発明が解決しようとする課題】
【０００７】
このように、ヨーモーメント制御とエンジン出力制御とを実施することで、例えばドライバによって緊急回避操作がなされて車両の安定性が急激に変化したような場合や、ドライバがパニック状態に陥り、アクセルペダルの踏み込みを戻せない状況であっても、車両の安定性を確保することができる。
しかし、特許文献２に記載の技術のように、ヨーモーメント制御とエンジン出力制御とを同時に実施する構成では、例えば、制御目標ヨーレイトＴｒψが実ヨーレイトψを僅かに超えている程度の場合や車両の挙動の変化が大きくない場合には、ドライバが車両の姿勢を十分制御できる場合であってもエンジン出力制御によって過大に減速されてしまう。特に、ヨーモーメント制御が車輪へ制動力を付与する制御であるのに対して、エンジン出力制御はエンジンの出力トルクを抑制する制御であるため、これらの制御が同時に実施されることによって、車輪を止めようとする制動力によってだけでなく車両の推進力自体が抑えられて車両が急激に減速することになり、ドライバの加速意思や車速維持の意思が反映されにくくなって、ドライビングフィーリングを著しく損なうおそれがある。
【０００８】
本発明はこのような課題に鑑み案出されたもので、ドライブフィーリングを損なわないようにして、車両の安定性を確保することができるようにした、車両の挙動制御装置を提供することを目的とする。
【課題を解決するための手段】
【０００９】
上記目標を達成するため、本発明の車両の挙動制御装置（請求項１）は、車両に設けられて該車両の左右輪を個別に制動しうる制動手段と、該車両のエンジンの出力を調整しうるエンジン出力調整手段と、該車両のステア特性に対応したパラメータの値を検出するステア特性検出手段と、該ステア特性検出手段で検出されたパラメータ値に基づいて、該車両のステア特性が第１の状態以上に不安定になったら、該制動手段を作動させ、該車両のステア特性が第１の状態よりも不安定な第２の状態以上に不安定になったら、該制動手段の作動に加えて該エンジン出力調整手段によりエンジン出力を低下させるステア特性制御手段とを備えたことを特徴としている。
【００１０】
なお、ヨーモーメント制御においては、オーバステアやアンダステアといったステア特性の状態及びその傾向の大きさに応じて各車輪の制動力が個別に設定されることが好ましい。
また、該ステア特性制御手段は、該ステア特性検出手段で検出されたパラメータ値が該第１の状態として予め設定された第１閾値以上であることを検出すると、該制動手段を作動させ、該ステア特性検出手段で検出されたパラメータ値が該第２の状態として予め設定された第１閾値よりも大きい第２閾値以上であることを検出すると、該制動手段を作動させるとともに、該エンジン出力調整手段によりエンジン出力を低下させることが好ましい（請求項２）。
【００１１】
また、該ステア特性検出手段は、該ステア特性に対応したパラメータの値として該車両のヨーレイト偏差を算出し、該ステア特性制御手段は、該ヨーレイト偏差の絶対値と該第１閾値又は該第２閾値との比較を行うことが好ましい（請求項３）。
また、該ステア特性がアンダステア又はオーバステアの何れであるかを判定するＯＳ・ＵＳ判定手段を備え、該ステア特性制御手段は、該ＯＳ・ＵＳ判定手段の判定結果に基づいて、該ステア特性がアンダステアの場合には、該第１の状態よりも不安定かつ該第２の状態よりも安定な第３の状態以上に不安定になったら、該制動手段の作動に加えて該エンジン出力調整手段によりエンジン出力を低下させることが好ましい（請求項４）。
【発明の効果】
【００１２】
本発明の車両の挙動制御装置（請求項１）によれば、ステア特性の状態に応じて、制動手段によるステア特性制御とエンジン出力調整手段によるエンジン制御とを独立して実施することができ、ステア特性制御を行うべきステア特性の状態とエンジン制御を行うべきステア特性の状態とを個別に設定することができる。また、ステア特性制御手段は、車両のステア特性が第１の状態よりも不安定な第２の状態以上に不安定になるまでの間はエンジン出力を低下させないため、車両の挙動の乱れが小さいときやドライバが車両の姿勢を制御できるときに必要以上に減速することがなく、ドライブフィーリングを向上させることができる。
【００１３】
また、本発明の車両の挙動制御装置（請求項２）によれば、該車両のステア特性を予め設定された第１閾値及び第２閾値との比較によって判定するため、正確に車両の挙動を制御することができる。
また、本発明の車両の挙動制御装置（請求項３）によれば、安定した旋回を行うための理論上のヨーレイト（目標ヨーレイトＹt）と実際のヨーレイト（実ヨーレイトＹr）との偏差を算出することで、車両を安定化させるために必要な（すなわち、不足している、または過剰な）ヨーレイトを的確に把握することができる。また、ヨーレイト偏差を用いることで、オーバステアやアンダステアといった車両のステア特性を的確に把握することができ、回頭制御や復元制御を容易に実行することができる。
【００１４】
また、本発明の車両の挙動制御装置（請求項４）によれば、車両のステア特性がアンダステアの場合には、エンジン制御によって車両を減速させて前輪の横力を大きくすることができ、アンダステア傾向を弱め易くすることができる。また、車両のステア特性がアンダステアの場合には、オーバステア時よりもエンジン制御を実施しやすく設定されているため、ヨーモーメント制御の効果を強化することができる。
【発明を実施するための最良の形態】
【００１５】
以下、図面により、本発明の実施の形態について説明する。
図１〜図４は本発明の一実施形態にかかる車両の挙動制御装置を示すものであり、図１はその挙動制御にかかる制御ブロック図、図２は本装置を備えた車両の制動システムの全体構成を示すシステム構成図、図３は本装置による挙動制御を説明するフローチャートであり（ａ）はヨーモーメント制動制御にかかるフロー、（ｂ）はエンジン出力抑制制御にかかるフロー、図４は本装置を備えた車両の右旋回時における挙動制御を模式的に説明する図であり、（ａ）はオーバステア時の制動制御を示す図、（ｂ）はアンダステア時の制動制御を示す図である。
【００１６】
本車両の挙動制御装置には、図２に示すような車両の制動システムが利用される。この車両の制動システムは、図２に示すように、ブレーキぺダル１と、ブレーキぺダル１の踏込みに連動して作動するマスタシリンダ２と、マスタシリンダ２の状態に応じて、あるいは制動用コントローラ（ブレーキＥＣＵ）３からの指令に応じてブレーキ液リザーバ４から各制動輪（前輪の左右輪及び後輪の左右輪）５ＦＬ，５ＦＲ，５ＲＬ，５ＲＲのホイールブレーキ（以下、ブレーキという）１０のホイールシリンダに供給するブレーキ液圧を制御するハイドロリックユニット６とをそなえている。なお、ここでは、ハイドロリックユニット６等の液圧調整系と各制動輪のホイールブレーキ１０等から制動機構（制動手段）が構成されるものとする。
【００１７】
一方、エンジン８の出力を制御するエンジンＥＣＵ７が設けられ、ブレーキＥＣＵ３とのＣＡＮ通信により、車両の状態に応じたエンジン８の出力の制御を実施するようになっている。ここでは、エンジン８の吸気系及び燃料噴射系等からエンジン出力調整機構（エンジン出力調整手段）が構成されるものとする。
本実施形態においては、車両の挙動を安定化させる挙動制御として、車両に働くヨーモーメントが過大にならないような制御（ヨーモーメント制御）を実施するようになっている。このヨーモーメント制御では、ヨーモーメント制動制御と、エンジン出力抑制制御との二つの制御態様を用いて車両の減速制御が行われる。
【００１８】
ヨーモーメント制動制御は、各車輪への制動力を調節する制動制御である。すなわち、車両の挙動に応じた目標ヨーレイトと実際に車両に働く実ヨーレイトとの偏差（ヨーレイト偏差）から車両のアンダステア（以下ＵＳという）又はオーバステア（以下ＯＳという）の状態を判定し、車両の回頭・復元に必要なヨーモーメント量を求めて、それに応じた制動力を制御対象輪に個別に（少なくとも車両の左右輪に個別に）付与することで車両のヨー運動を制御するものである。
【００１９】
また、エンジン出力抑制制御は、車両の挙動に応じた目標ヨーレイトと実際に車両に働く実ヨーレイトとの偏差に応じて、エンジン出力を低減させて車両を減速させ、車両の挙動の安定化を図るものである。これらの具体的な制御態様については後述する。
なお、本実施形態では、これらのヨーモーメント量に応じたヨーモーメント制御とブレーキペダル１の踏込み量に応じた制動制御（ドライバ制御）との両方の制動制御を統合した制動制御を行うことができるようになっている。
【００２０】
図２に示すように（図２には前輪の左右輪ブレーキについてのみ示す）、ハイドロリックユニット６にはヨーモーメント制動制御時、差圧弁６８の上流と下流とで所定の圧力差が生じるように差圧弁６８が作動する。車両の挙動制御モードでブレーキペダル１が踏み込まれていない時には、インライン吸入弁６１が閉鎖され、アウトライン吸入弁６２が開放されるため、ブレーキ液リザーバ４内のブレーキ液がアウトライン６４，アウトライン吸入弁６２及びポンプ６５を通じて導入され、ポンプ６５により加圧されるとともに液圧保持弁６６及び減圧弁６７により圧力調整されて各輪のブレーキ１０に供給される。車両の挙動制御モードでありブレーキペダル１が踏み込まれている時には、インライン吸入弁６１が開放され、アウトライン吸入弁６２が閉鎖されるため、マスタシリンダ２内のブレーキ液がインライン６３，インライン吸入弁６１及びポンプ６５を通じて導入され、ポンプ６５により加圧されるとともに液圧保持弁６６及び減圧弁６７により圧力調整されて各輪のブレーキ１０に供給される。
【００２１】
なお、この車両の挙動制御時にドライバによる制動制御（ドライバ制御）がなされた場合には、液圧センサ１４で検知されたマスタシリンダ内のブレーキ液の圧力情報に基づいて、液圧保持弁６６及び減圧弁６７の圧力調整がなされるようになっている。また、インライン６３とアウトライン６４とはインライン吸入弁６１及びアウトライン吸入弁６２の下流で合流しており、この合流部分の下流にポンプ６５が配置され、ポンプ６５の下流には、各制動輪５ＦＬ，５ＦＲ，５ＲＬ，５ＲＲ毎に液圧保持弁６６及び減圧弁６７が装備されている。
【００２２】
通常制動時には、インライン吸入弁６１及びアウトライン吸入弁６２は閉鎖されて、差圧弁６８，液圧保持弁６６は開放されて、減圧弁６７は閉鎖される。これにより、マスタシリンダ２内の圧力（即ち、ブレーキ踏力）に応じたブレーキ液圧がインライン６３，差圧弁６８，液圧保持弁６６を通じて各輪のブレーキ１０に供給される。また、ＡＢＳ（アンチロックブレーキシステム又はアンチスキッドブレーキシステム）の作動時には、液圧保持弁６６及び減圧弁６７を通じてブレーキ踏力に応じたブレーキ液圧が車輪のロックを生じないように適宜調整される。このようなハイドロリックユニット６のインライン吸入弁６１，アウトライン吸入弁６２，ポンプ６５，及び各制動輪の液圧保持弁６６，減圧弁６７，差圧弁６８は、ブレーキＥＣＵ３により制御される。
【００２３】
ブレーキＥＣＵ３には、ステアリングホイール（ハンドル）に付設されたハンドル角センサ１１からハンドル角信号が、車体に設置されたヨーレイトセンサ（ステア特性検出手段）１２から車体のヨーレイト信号が、マスタシリンダ液圧センサ１４からマスタシリンダ液圧信号が、各輪の車輪速センサ１５から車輪速信号が、ブレーキスイッチ１６からブレーキぺダル踏込信号が、車体に設置された前後・横加速度センサ１７から前後加速度信号，横加速度信号が、それぞれ入力されるようになっている。
【００２４】
ブレーキＥＣＵ３は、図１に示すような各機能要素、つまり、車両の運動状態（挙動）に関する種々の情報を入力されこれらの入力情報を適宜処理して車両の理論上の運動状態を算出する車両運動状態入力部２３と、アクセル操作やブレーキ操作といったドライバの運転状態に関する種々の情報を入力されこれらの入力情報を適宜処理して算出するドライバ運転状態入力部２４と、車両の不安定な挙動を安定化させるためにヨーモーメントに応じた制御を行うヨーモーメント制御演算部２１と、このヨーモーメント制御演算部２１によって設定される制動制御量に基づいて車両の各車輪の制動力を制御するブレーキ制御部２２とを備えている。
【００２５】
なお、ブレーキＥＣＵ３には、その他の制御手段として、車両旋回時の旋回半径と走行路面の摩擦係数とを演算して車両の速度を自動的に減速させる自動減速制御部等が併せて備えられているが、ここではその他の制御部についての説明を省略する。
また、エンジン８の出力を制御するエンジンＥＣＵ７には、エンジン８への燃料噴射量や吸気量等を設定する出力制御部７１が備えられている。
【００２６】
次に、ブレーキＥＣＵ３の各機能要素について説明する。
車両運動状態入力部２３では、前後・横加速度センサ１７から入力される前後加速度信号によって車体に発生する実前後加速度Ｇx及び横加速度信号によって車体に発生する実横加速度Ｇy、ハンドル角センサ１１から入力されるハンドル角情報によってハンドル角θh、ヨーレイトセンサ１２からのヨーレイト信号によって車体に発生する実ヨーレイトＹrを、それぞれ認識し、ヨーモーメント制御演算部２１へ出力するようになっている。また、ここでは、車体速Ｖb，ハンドル角速度ωh及び実舵角δが算出されるようになっている。車体速Ｖbは、通常は車輪速センサ１５からの車輪速信号に基づいて算出されるが、車輪にスリップが生じると、それまで得られた車輪速信号に基づく車体速に、前後・横加速度センサ１７から得られる実前後加速度Ｇxの時間積分値が加算されて算出される（この場合、推定車体速となる）。また、ハンドル角速度ωh及び実舵角δは、ハンドル角センサ１１からのハンドル角情報に基づいて算出される。なお、ハンドル角θhがドライバによって操舵されたステアリングホイールのニュートラル位置に対する角度を表すのに対して、実舵角δは操舵輪のニュートラル位置に対する角度を表すものである。
【００２７】
ドライバ運転状態入力部２４では、ブレーキスイッチ１６からのブレーキペダル踏込信号によってブレーキペダル１が踏み込まれているか否かを判定する。また、ドライバによるブレーキペダル１の踏込み量ＰＲDRが、マスタシリンダ液圧センサ１４から入力されるマスタシリンダ液圧情報に基づいて算出されるようになっている。
ヨーモーメント制御演算部２１は、規範とする線形二輪モデルを用いて車両が安定走行を行うために目標とすべきヨーレイトを算出する目標ヨーレイト算出部３１，車両に実際に生じるヨーレイトと目標ヨーレイトとの偏差を算出するヨーレイト偏差算出部３２，車両を安定させるための回頭，復元に必要なヨーモーメントを算出する目標ヨーモーメント算出部３３，目標ヨーモーメントの符号からオーバステアとアンダステアとのいずれかの状態を判定するオーバステア・アンダステア判定部（ＯＳ・ＵＳ判定手段）３４，ヨーモーメントの大きさに応じた制動制御（ヨーモーメント制動制御）の開始・終了を判定するヨーモーメント制動制御判定部３６及びエンジンの出力を制御するエンジン出力抑制制御の開始・終了を判定するエンジン出力抑制制御判定部（エンジン出力調整手段）３７を備えて構成されている。
【００２８】
目標ヨーレイト算出部３１は、車両が安定走行を行うために目標とすべき目標ヨーレイトＹtを算出する。ここでは、車両運動状態入力部２３によって算出された車体速Ｖbと実舵角δとが入力され、これらのパラメータとスタビリティファクタＡとから、規範とする線形二輪モデルを用いて目標ヨーレイトＹtが求められるようになっている。
後述するヨーモーメント制動制御判定部３６においてヨーモーメント制動制御の開始判定がなされてヨーモーメント制動制御が行われている場合、以下の式１に従って、目標ヨーレイトＹt（この場合、Ｙt1）が算出される。
【００２９】
【数１】
2005271817.tif 000003
また、ヨーモーメント制御が行われていない場合には、以下の式２に従って、目標ヨーレイトＹt（この場合、Ｙt2）が算出される。
【００３０】
【数２】
2005271817.tif 000004
ヨーレイト偏差算出部３２は、目標ヨーレイト算出部３１で算出された目標ヨーレイトＹt（すなわち、Ｙt1，Ｙt2のいずれかの値）と、車両運動状態入力部２６から入力された実ヨーレイトＹrとの偏差、すなわちヨーレイト偏差Ｙdevを算出する。ここでは、以下の式３に従ってヨーレイト偏差が演算される。
【００３１】
Ｙdev＝Ｙt−Ｙr  ・・・（式３）
Ｙdev：ヨーレイト偏差
Ｙt：目標ヨーレイト
Ｙr：実ヨーレイト
なお、ここで演算されたヨーレイト偏差Ｙdevは、車両の旋回方向に関わらずアンダステア側（回頭制御側）を正、オーバステア側（復元制御側）を負で符号を統一するために、右旋回時にはそのままの値を、左旋回時には符号を反転させた値をヨーレイト偏差Ｙdevとして、これ以後の制御判断に用いるようになっている。また、ここで演算されたヨーレイト偏差Ｙdevは、ステア特性に対応するステア特性値として、ヨーモーメント制動制御判定部３６及びエンジン出力抑制制御判定部３７へ出力されるとともに、目標ヨーモーメント算出部３３へ出力される。
【００３２】
目標ヨーモーメント算出部３３は、ヨーレイト偏差算出部３２で算出されたヨーレイト偏差Ｙdevに基づいて目標ヨーモーメントＹＭdを算出する。なお、ここで求められた目標ヨーモーメントＹＭdは、オーバステア・アンダステア判定部３４，ヨーモーメント制動制御判定部３６及びエンジン出力抑制制御判定部３７へ出力される。
オーバステア・アンダステア判定部３４は、目標ヨーモーメント算出部３３から入力される目標ヨーモーメントＹＭd値の正負に基づいて、車両のステア特性がオーバステア（以下、単にＯＳとも記載する）傾向、又はアンダステア（以下、単にＵＳとも記載する）傾向のどちらであるかを判定する。つまり、目標ヨーモーメントＹＭd値が正の場合にはアンダステア傾向にあると判定し、目標モーメントＹＭd値が負の場合にはオーバステア状態にあると判定するようになっている。なお、ここで判定された車両のＯＳ、又はＵＳの状態は、ヨーモーメント制動制御判定部３６及びエンジン出力抑制制御判定部３７へ出力されるとともに、ブレーキ制御部２２へも出力される。
【００３３】
ヨーモーメント制動制御判定部３６は、車体に発生するヨーモーメントの大きさを制御するヨーモーメント制動制御の開始判定部及び終了判定部を備えており、ヨーモーメント制動制御を開始，終了するか否かをそれぞれ判定するようになっている。これらの判定は、所定の開始条件及び所定の終了条件が成立するか否かで判定されるようになっており、所定の開始条件が成立すると、ブレーキ制御部２２においてヨーモーメント制動制御が実施されるようになっている。また、所定の終了条件が成立すると、ブレーキ制御部２２においてヨーモーメント制動制御を終了するようになっている。
【００３４】
ヨーモーメント制動制御の開始条件は、（１）車体速Ｖbが基準値（予め設定された低速値）Ｖ1以上であること、（２）ＯＳ時には、ヨーレイト偏差Ｙdevが基準値（予め設定された閾値としての基準ヨーレイト）Ｙostに補正ゲインＫを乗じた値（負の値）以下であること、又は、ＵＳ時には、ヨーレイト偏差Ｙdevが基準値（予め設定された閾値としての基準ヨーレイト）Ｙustに補正ゲインＫを乗じた値以上であること、である。これらの条件がすべて成立すると、ヨーモーメント制動制御が開始される。
【００３５】
なお、本実施形態においては、基準値Ｙostと基準値Ｙustとは、絶対値が同一の値として設定されている。つまりここでは、車両のステア特性の状態がアンダステアの場合にはヨーレイト偏差Ｙdevが正の値として検出され、オーバステアの場合には負の値として検出されるようになっているため、何れの場合においてもヨーレイト偏差Ｙdevの大きさが基準値を超えた場合に、ヨーモーメント制動制御を開始しうるようになっている。
【００３６】
また、本実施形態においては、ヨーモーメント制動制御判定部３６におけるヨーモーメント制動制御の開始条件（２）において、以下の（式４），（式５）に記載の関係が成り立つように、ヨーレイトの第１所定値（第１閾値）Ｙr1が設定されている。
ＯＳ時：Ｙr1＝Ｋ・Ｙost  ・・・（式４）
ＵＳ時：Ｙr1＝Ｋ・Ｙust  ・・・（式５）
上記の開始条件（２）は、ヨーレイト偏差の大きさ｜Ｙdev｜が上記の第１所定値Ｙr1以上であること、と言い換えることができる。つまり、ヨーモーメント制動制御判定部３６は、車両のステア特性（ヨーレイト偏差の大きさ）が第１の状態（第１所定値）以上に不安定になったら、制動手段（ブレーキ制御部２２）を作動させるステア特性制御手段としての機能を備えていることになる。
【００３７】
また、ヨーモーメント制動制御の終了条件は、（１）車体速Ｖbが基準値（予め設定された低速値）Ｖ2（ただし、Ｖ2＜Ｖ1）未満であること、（２）ヨーレイト偏差Ｙdevが基準値Ｙehm未満で所定時間Ｔehm以上継続すること、である。これらの条件のいずれかが成立すると、ヨーモーメント制動制御が終了される。
ブレーキ制御部２２は、オーバステア・アンダステア判定部３４，ヨーモーメント制動制御判定部３６における判定結果に基づいて、実質的なヨーモーメント制動制御、すなわち、各制動輪５のホイールブレーキ１０の制動力を制御するようになっている。
【００３８】
このブレーキ制御部２２におけるヨーモーメント制動制御では、車両のステア特性に応じて、異なる車輪へ制動力を付与するようになっている。まず、車両のステア特性がＯＳの場合には、旋回外輪側の車輪へ制動力を付与するように機能する。また、車両のステア特性がＵＳの場合には、旋回内輪側の車輪へ制動力を付与するように機能する。なお、本実施形態において、ＯＳ時には旋回外輪側の前輪に制動力が付与されるとともに旋回内輪側の後輪に制動力が働いている場合には、その制動力を減少させるようになっている。また、ＵＳ時には旋回内輪側の後輪に制動力が付与されるようになっている。
【００３９】
このヨーモーメント制御において車輪に付与される制御量の大きさは、目標ヨーモーメント算出部３３で算出された目標ヨーモーメントＹＭdに基づいて、以下の式６によってブレーキ液圧勾配（増減圧勾配）ＰＲymcとして算出されるようになっている。
【００４０】
【数３】
2005271817.tif 000005
なお、ここでは、制御量として制動力自体（絶対的な制動力の大きさ）ではなく、制動力増減値が設定されるようになっている。これは、本制御が所定の周期で行われるものであり、前回の制御周期での制動力に対して、制動力をどれだけ増減させるかを設定するようになっているためである。また、ここでは、制動力としてブレーキ液圧に換えて増減圧勾配（制御用増減圧量）ＰＲymcとして設定する。
【００４１】
エンジン出力抑制制御判定部３７は、エンジン８の出力の大きさを制御するエンジン出力抑制制御を開始，終了するか否かをそれぞれ判定するようになっている。これらの判定は、所定の開始条件及び所定の終了条件が成立するか否かで判定されるようになっており、所定の開始条件が成立すると、エンジンＥＣＵ７においてエンジン出力抑制制御が実施されるようになっている。また、所定の終了条件が成立すると、エンジンＥＣＵ７においてエンジン出力抑制制御を終了するようになっている。
【００４２】
エンジン出力抑制制御の開始条件は、（１）車体速Ｖbが基準値（予め設定された低速値）Ｖ1以上であること、（２）ＯＳ時には、ヨーレイト偏差Ｙdevが第２の基準値（予め設定された閾値としての基準ヨーレイト）Ｙosteに補正ゲインＫを乗じた値（負の値）以下であること、又は、ＵＳ時には、ヨーレイト偏差Ｙdevが第２の基準値（予め設定された閾値としての基準ヨーレイト）Ｙusteに補正ゲインＫを乗じた値以上であること、である。これらの条件がすべて成立すると、エンジン出力抑制制御が開始される。
【００４３】
このエンジン出力抑制制御にかかる第２の基準値Ｙoste，Ｙusteは、それぞれ、ヨーモーメント制動制御にかかる基準値Ｙost，Ｙustよりも大きい値、つまり、車両のステア特性がより不安定な状態に対応する値として設定されている。これにより、エンジン出力抑制制御は、ヨーモーメント制動制御よりも車両のステア特性が不安定な状態でなければ制御が開始しないようになっている。
【００４４】
また、本実施形態においては、ＯＳ時の第２の基準値ＹosteとＵＳ時の第２の基準値Ｙusteとが同一の値に設定されている。
また、本実施形態においては、エンジン出力抑制制御判定部３７におけるエンジン出力抑制制御の開始条件（２）において、以下の（式７），（式８）に記載の関係が成り立つように、ヨーレイトの第２所定値（第２閾値）Ｙr2が設定されている。
【００４５】
ＯＳ時：Ｙr2＝Ｋ・Ｙoste  ・・・（式７）
ＵＳ時：Ｙr2＝Ｋ・Ｙuste  ・・・（式８）
上記の開始条件（２）は、ヨーレイト偏差の大きさ｜Ｙdev｜が上記の第２所定値Ｙr2以上であること、と言い換えることができる。つまり、エンジン出力抑制制御判定部３７は、車両のステア特性（ヨーレイト偏差の大きさ）が第２の状態（第２所定値）以上に不安定になったら、制動手段（ブレーキ制御部２２）の作動に加えて、エンジン出力調整手段によりエンジン出力を低下させるステア特性制御手段としての機能を備えていることになる。
【００４６】
また、エンジン出力抑制制御の終了条件は、（１）車体速Ｖbが基準値（予め設定された低速値）Ｖ2（ただし、Ｖ2＜Ｖ1）未満であること、（２）ヨーレイト偏差Ｙdevが基準値Ｙehm未満で所定時間Ｔehm以上継続すること、である。これらの条件のいずれかが成立すると、エンジン出力抑制制御が終了される。つまり、エンジン出力抑制制御の終了条件は、ヨーモーメント制動制御の終了条件と同一になっており、これらの終了条件が成立した時には、車両のステア特性が安定した状態になったものとして各制動制御を終了するようになっている。換言すると、車両のステア特性の状態が上記の終了条件を満たすまでは、ヨーモーメント制動制御及びエンジン出力抑制制御の両制動制御を実施して、車両の安定性を確保している。
【００４７】
上述の通り、ヨーモーメント制動制御判定部３６及びエンジン出力抑制制御判定部３７は、ヨーレイト偏差算出部３２で算出されたヨーレイト偏差Ｙdevに基づいて、各々が独立して、ヨーモーメント制動制御，エンジン出力抑制制御の開始判定を行うようになっている。したがって、まず、ヨーレイト偏差の絶対値｜Ｙdev｜が予め設定されている第１所定値Ｙr1（第１閾値）以上である場合には、ヨーモーメント制動制御判定部３６においてヨーレイト制動制御の開始条件が成立すると、ヨーモーメント制動制御が実施される。
【００４８】
また、ヨーレイト偏差の絶対値｜Ｙdev｜が第１所定値Ｙr1よりも大きな値として予め設定されている第２所定値Ｙr2（第２閾値）以上である場合には、エンジン出力抑制制御判定部３７においてエンジン出力抑制制御の開始条件が成立すると、上記のヨーモーメント制動制御に加えて、エンジン出力抑制制御が実施されることになる。
【００４９】
本発明の一実施形態にかかる車両の挙動制御装置は上述のように構成されているので、例えば図３（ａ）、（ｂ）に示すように制御が実施される。図３（ａ）に示すフローは、ヨーモーメント制動制御判定部３６において判定されるフローであり、図３（ｂ）に示すフローは、エンジン出力抑制制御判定部３７において判定されるフローである。これらのフローは各々独立して実行されている。
【００５０】
まず、ヨーモーメント制動制御判定部３６では、図３（ａ）に示すフローに従って判定制御が実施される。ステップＡ１０では、ヨーレイト偏差算出部３２で算出されたヨーレイト偏差の絶対値｜Ｙdev｜が、第１所定値Ｙr1以上であるか否かが判定される。ここで、｜Ｙdev｜≧Ｙr1の場合にはステップＡ２０へ進み、｜Ｙdev｜＜Ｙr1の場合にはそのままこのフローを終了する。
【００５１】
ステップＡ２０では、車体速Ｖbが基準値Ｖ1以上であるかが判定される。Ｖb≧Ｖ1の場合にはステップＡ３０へ進み、ヨーモーメント制動制御を開始して、このフローを終了する。また、Ｖb＜Ｖ1の場合には、そのままこのフローを終了する。
一方、エンジン出力抑制制御判定部３７では、図３（ｂ）に示すフローに従って判定制御が実施される。ステップＢ１０では、ヨーレイト偏差の絶対値｜Ｙdev｜が、第２所定値Ｙr2よりも大きいか否かが判定される。なお、第２所定値Ｙr2は、第１所定値Ｙr1よりも大きい値（すなわち、第１所定値よりも不安定なステア特性の状態に対応する値）として設定されている。ここで、｜Ｙdev｜≧Ｙr2の場合には、ステップＢ２０へ進み、｜Ｙdev｜＜Ｙr2の場合には、そのままこのフローを終了する。
【００５２】
ステップＢ２０では、車体速Ｖbが基準値Ｖ1以上であるかが判定される。Ｖb≧Ｖ1の場合にはステップＢ３０へ進み、エンジン出力抑制制御を開始して、このフローを終了する。また、Ｖb＜Ｖ1の場合には、そのままこのフローを終了する。
つまり、図３（ａ）、（ｂ）に示すフローによって、車体速Ｖbが基準値Ｖ1以上であるとき、｜Ｙdev｜≧Ｙr2の場合には、ヨーモーメント制動制御とエンジン出力抑制制御とがともに開始されるが、Ｙr1＜｜Ｙdev｜≦Ｙr2の場合には、ヨーモーメント制動制御のみが開始されることになる。また、ヨーモーメント制動制御のみが開始された後に、ヨーモーメント制動制御のみでは車両のステア特性を十分に安定化することができず、｜Ｙdev｜＞Ｙr2になってしまったときには、その時点でエンジン出力抑制制御が開始されることになる。
【００５３】
本発明の一実施形態にかかる車両の挙動制御装置の上述の制御による、車両の挙動について、図４を用いて説明する。
まず、車両の旋回時には、目標ヨーレイト算出部３１において、車体速Ｖbと実舵角δとに基づいて目標ヨーレイトＹtが算出され、ヨーレイト偏差算出手段３２において目標ヨーレイトＹtと実ヨーレイトＹrとに基づいてヨーレイト偏差Ｙdevが算出される。このように、安定した旋回を行うための理論上のヨーレイト（目標ヨーレイトＹt）と実際のヨーレイト（実ヨーレイトＹr）との偏差を算出することで、車両を安定化させるために必要な（すなわち、不足している、又は過剰な）ヨーレイトを的確に把握することができる。
【００５４】
次に、目標ヨーモーメント算出部３３においてヨーレイト偏差Ｙdevに基づいて目標ヨーモーメントＹＭdが算出される。この目標ヨーモーメントＹＭdがＹＭd≧０の場合には車両のステア特性がアンダステア（ＵＳ）傾向にあると判定され、ＹＭd＜０の場合にはオーバステア（ＯＳ）傾向にあると判定される。また、ヨーモーメント制動制御判定部３６及びエンジン出力抑制制御判定部３７では、ヨーレイト偏差の絶対値と第１所定値Ｙr1，第２所定値Ｙr2との比較がなされる。
【００５５】
図４（ａ）に示すように、車両のステア特性がオーバステアの場合において、Ａ地点でヨーレイト偏差の絶対値｜Ｙdev｜が第１所定値Ｙr1以上であると判定された場合、ヨーモーメント制動制御判定部３６においてヨーモーメント制動制御の開始判定（Ｖb≧Ｖ1か否か）が実施され、ヨーモーメント制動制御の開始条件が成立すると、ヨーモーメント制動制御が開始される。つまり、旋回外輪の前輪５ＦＬに制動力が付与されるとともに、旋回内輪の後輪５ＲＲに制動力が働いている時にはその制動力が減少するように制御される。このような制動力の付与によって車両に復元方向へのモーメントが働き、Ｂ地点においてヨーモーメント制動制御の終了条件が成立して、ヨーモーメント制動制御が終了する。
【００５６】
また、Ｃ地点でヨーレイト偏差の絶対値｜Ｙdev｜が第１所定値Ｙr1以上であると判定され、ヨーモーメント制動制御が開始された後、Ｄ地点でさらにヨーレイト偏差の絶対値｜Ｙdev｜が第２所定値Ｙr2以上であると判定された場合、エンジン出力抑制制御部３７においてエンジン出力抑制制御の開始判定が実施され、エンジン出力抑制制御の開始条件（Ｖb≧Ｖ1か否か）が成立すると、エンジン出力抑制制御も開始される。つまり、上述のヨーモーメント制動制御に加えて、エンジンの出力が抑制される。これにより、車両に復元方向へのヨーモーメントが働き、かつ車両の推進力が抑制され、Ｅ地点においてヨーモーメント制動制御及びエンジン出力抑制制御の終了条件が成立して、各々の制御が終了する。
【００５７】
したがって、Ａ地点からＢ地点間、Ｃ地点からＤ地点間のように、ヨーレイト偏差の絶対値｜Ｙdev｜が第１所定値Ｙr1以上で第２所定値Ｙr2未満の場合、すなわち、車両の挙動の乱れが小さいときやドライバが車両の姿勢を制御できるときには、エンジン出力抑制制御が開始されずヨーモーメント制動制御のみが開始されて、車両が必要以上に減速しないため、ドライバの違和感を低減させることができる。また、ヨーレイト偏差の絶対値｜Ｙdev｜が第２所定値Ｙr2以上となるＤ地点からＥ地点間のように、車両の挙動の乱れが大きいときやドライバが車両の姿勢を制御できないときには、ヨーモーメント制動制御に加えてエンジン出力抑制制御によってエンジン出力を抑え、車両を安定させることができる。
【００５８】
また、図４（ｂ）に示すように、車両のステア特性がアンダステアの場合、ヨーモーメント制動制御として、旋回内輪の後輪５ＲＲに制動力が付与されるように制御されること以外は同様の制御が行われる。
Ｆ地点でヨーレイト偏差の絶対値｜Ｙdev｜が第１所定値Ｙr1以上であると判定された場合、ヨーモーメント制動制御判定部３６においてヨーモーメント制動制御の開始判定（Ｖb≧Ｖ1か否か）が実施され、ヨーモーメント制動制御の開始条件が成立すると、ヨーモーメント制動制御が開始され、旋回内輪の後輪５ＲＲに制動力が付与されるように制御される。このような制動力の付与によって車両に回頭方向へのモーメントが働き、Ｇ地点においてヨーモーメント制動制御の終了条件が成立して、ヨーモーメント制動制御が終了する。
【００５９】
また、Ｈ地点でヨーレイト偏差の絶対値｜Ｙdev｜が第１所定値Ｙr1以上であると判定されて、ヨーモーメント制動制御が開始された後、Ｉ地点でさらにヨーレイト偏差の絶対値｜Ｙdev｜が第２所定値Ｙr2以上であると判定された場合、エンジン出力抑制制御部３７においてエンジン出力抑制制御の開始判定が実施され、エンジン出力抑制制御の開始条件（Ｖb≧Ｖ1か否か）が成立すると、エンジン出力抑制制御も開始される。つまり、上述のヨーモーメント制動制御に加えて、エンジンの出力が抑制される。これにより、車両に回頭方向へのヨーモーメントが働き、かつ車両の推進力が抑制され、Ｊ地点においてヨーモーメント制動制御及びエンジン出力抑制制御の終了条件が成立して、各々の制御が終了する。
【００６０】
したがって、Ｆ地点からＧ地点間、Ｈ地点からＩ地点間のように、ヨーレイト偏差の絶対値｜Ｙdev｜が第１所定値Ｙr1以上で第２所定値Ｙr2未満の場合、すなわち、車両の挙動の乱れが小さいときやドライバが車両の姿勢を制御できるときには、エンジン出力抑制制御が開始されずヨーモーメント制動制御のみが開始されて必要以上に減速することがないため、ドライバの違和感を低減させることができる。また、ヨーレイト偏差の絶対値｜Ｙdev｜が第２所定値Ｙr2以上となるＩ地点からＪ地点間のように、車両の挙動の乱れが大きいときやドライバが車両の姿勢を制御できないときには、ヨーモーメント制動制御に加えてエンジン出力抑制制御によってエンジン出力を抑え、車両を安定させることができる。
【００６１】
このように、本車両の挙動制御装置によれば、ヨーレイト偏差の絶対値の大きさに応じて、ヨーモーメント制動制御の開始判定、及びエンジン出力抑制制御の開始判定を行うかを指示して、各制動制御の開始を制御しているため、エンジン出力抑制制御による過剰な減速感などのドライバへの違和感を抑えながら、車両の安定性を確保することができる。
また、ヨーモーメント制動制御の開始条件とエンジン出力抑制制御の開始条件とが別個に設定されているため、ステア特性の状態に応じてそれぞれの制動制御を独立して開始することができる。
【００６２】
また、本実施形態においては、車両のステア特性に対応するステア特性値を算出して、ステア特性値と第１所定値，第２所定値との比較によって制御を行っているため、車両のステア特性に応じた正確な制御を実施することができる。特に、このステア特性値として、安定した旋回を行うための理論上のヨーレイト（目標ヨーレイトＹt）と実際のヨーレイト（実ヨーレイトＹr）との偏差（ヨーレイト偏差Ｙdev）を用いているため、アンダステアやオーバステアといった車両のステア特性を的確に把握することができ、車両を安定化させるために必要な（すなわち、不足している、または過剰な）ヨーレイトを的確に把握することができる。
【００６３】
以上、本発明の実施形態を説明したが、本発明はかかる実施形態に限定されるものではなく、本発明の趣旨を逸脱しない範囲で種々変形して実施することができる。
例えば、上述の実施形態においては、エンジン出力抑制制御の開始条件にかかる第２の基準値について、ＯＳ時の基準ヨーレイトＹosteとＵＳ時の基準ヨーレイトＹusteとが同一の値に設定されているが、異なる値に設定してもよい。例えば、ＵＳ時の基準ヨーレイトＹusteをＯＳ時の基準ヨーレイトＹosteよりも小さく設定するとともに、ＵＳ時とＯＳ時との判定にかかる第２所定値を、新たに第３閾値として別個に設け、ＵＳ時の第２所定値（つまり、第３閾値）をＯＳ時の第２所定値（つまり、第２閾値）よりも小さく設定する。このような構成することで、ＵＳ時にはＯＳ時よりもエンジン出力抑制制御が実施されやすくすることができる。
【００６４】
つまり、エンジン出力抑制制御によって車両が減速すると、車体前方への荷重移動が発生し、前輪の横力（コーナリングフォース）が増加し、後輪の横力が減少する。そのため、車両のステア特性がＵＳ時には車両の前輪が滑りにくくなり、ステア特性のＵＳ傾向が弱められることになる。一方、車両のステア特性がＯＳ時には車両の後輪が滑りやすくなり、ステア特性のＯＳ傾向が強められることになる。したがって、ＵＳ時にはＯＳ時よりもエンジン出力抑制制御の開始条件にかかる基準ヨーレイトを小さくして、エンジン出力抑制制御を開始しやすくすることで、効果的に車両のステア特性を安定させることができる。
【００６５】
また、上述の実施形態において、エンジン出力抑制制御のエンジン出力の抑制量については、予め設定された抑制基準量を用いてもよいし、車両のステア特性や運転状態に応じたものとすることもできる。
また、上述の実施形態においては、ヨーモーメント制動制御及びエンジン出力抑制制御の各々の制御の開始条件として、ヨーレイト偏差の大きさ及び車体速を判定するようになっているが、ヨーレイト偏差の大きさのみによって判定してもよいし、或いはさらに別の条件を付加して設定してもよい。
【図面の簡単な説明】
【００６６】
【図１】本発明の一実施形態にかかる車両の挙動制御装置における制御ブロック図である。
【図２】本発明の一実施形態にかかる車両の挙動制御装置を備えた車両の制動システムの全体構成を示すシステム構成図である。
【図３】本発明の一実施形態にかかる車両の挙動制御装置による、ヨーモーメント制御を説明する制御フロー図であり、（ａ）はヨーモーメント制動制御にかかるフロー、（ｂ）はエンジン出力抑制制御にかかるフローである。
【図４】本発明の一実施形態にかかる車両の挙動制御装置を備えた車両の右旋回時における挙動制御を模式的に説明する図であり、（ａ）はオーバステア時の制動制御を示す図、（ｂ）はアンダステア時の制動制御を示す図である。
【符号の説明】
【００６７】
１  ブレーキぺダル
２  マスタシリンダ
３  制動用コントローラ（ブレーキＥＣＵ）
４  ブレーキ液リザーバ
５ＦＬ，５ＦＲ，５ＲＬ，５ＲＲ  制動輪
６  ハイドロリックユニット
７  エンジンＥＣＵ
８  エンジン
１０  ホイールブレーキ
１１  ハンドル角センサ
１２  ヨーレイトセンサ（ステア特性検出手段）
１４  マスタシリンダ液圧センサ
１５  車輪速センサ
１６  ブレーキスイッチ
１７  前後・横加速度センサ
２１  ヨーモーメント制御演算部
２２  ブレーキ制御部
２３  車両運動状態入力部
２４  ドライバ運転状態入力部
３１  目標ヨーレイト算出部
３２  ヨーレイト偏差算出部
３３  目標ヨーモーメント算出部
３４  ＯＳ・ＵＳ判定部（ＯＳ・ＵＳ判定手段）
３６  ヨーモーメント制動制御判定部
３７  エンジン出力抑制制御判定部
６１  インライン吸入弁
６２  アウトライン吸入弁
６３  インライン
６４  アウトライン
６５  ポンプ
６６  液圧保持弁
６７  減圧弁
６８  差圧弁
７１  出力制御部
【図１】
2005271817.tif 000006
【図２】
2005271817.tif 000007
【図３】
2005271817.tif 000008
【図４】
2005271817.tif 000009